(57)【要約】【課題】透明樹脂成形品に残るピン跡を目立たないようにする。【解決手段】透明樹脂成形品３は、板状の意匠部４と、意匠部４の裏側の面の周縁に沿って枠状に成形され、意匠部４の裏側の面から突出した外枠部５と、外枠部５の内側において枠状に成形され、意匠部４の裏側の面から突出した内枠部６と、を備える。複数のピン跡７が内枠部６に形成されているとともに、内枠部６に沿って間隔をおいて周方向に配列されている。複数の線８が隣り合うピン跡７の間において内枠部６の径方向に延びるよう内枠部６に形成されているとともに、内枠部６に沿って間隔をおいて周方向に配列されている。【選択図】図１
2013171622.tif 000002
【特許請求の範囲】
【請求項１】
板状の意匠部と、
前記意匠部の裏側の面の周縁に沿って枠状に成形され、前記意匠部の裏側の面から突出した外枠部と、
前記外枠部の内側において枠状に成形され、前記意匠部の裏側の面から突出した内枠部と、を備え、
複数のピン跡が前記内枠部に形成されているとともに、前記内枠部に沿って間隔をおいて周方向に配列され、
複数の線が隣り合う前記ピン跡の間において前記内枠部の径方向に延びるよう前記内枠部に形成されているとともに、前記内枠部に沿って間隔をおいて周方向に配列されていることを特徴とする透明樹脂成形品。
【発明の詳細な説明】
【技術分野】
【０００１】
本発明は、車両用リフレックスリフレクタ、車両用灯具等における透明樹脂成形品に関する。
【背景技術】
【０００２】
従来、車両用リフレックスリフレクタに用いられる再帰反射板や、車両用灯具の前面に設けられるアウターレンズ等の透明樹脂成形品は、射出成形法によって成形される（例えば、特許文献１〜３参照）。成形後に金型から透明樹脂成形品を取り外す際には、突き出しピンを利用する（例えば、特許文献１〜３参照）。つまり、金型から突き出しピンを突き出すことで、透明樹脂成形品が突き出しピンによって押されて、透明樹脂成形品が金型から外れる。
【先行技術文献】
【特許文献】
【０００３】
【特許文献１】特開平５−６０９６号公報
【特許文献２】特開平７−２８８００４号公報
【特許文献３】特許第４６５１１０７号公報
【発明の概要】
【発明が解決しようとする課題】
【０００４】
しかし、突き出しピンの跡が透明樹脂成形品に残り、透明樹脂成形品の見栄えが良くなかった。
そこで、本発明が解決しようとする課題は、透明樹脂成形品に残るピン跡を目立たないようにすることである。
【課題を解決するための手段】
【０００５】
以上の課題を解決するために、請求項１に係る発明は、板状の意匠部と、前記意匠部の裏側の面の周縁に沿って枠状に成形され、前記意匠部の裏側の面から突出した外枠部と、前記外枠部の内側において枠状に成形され、前記意匠部の裏側の面から突出した内枠部と、を備え、複数のピン跡が前記内枠部に形成されているとともに、前記内枠部に沿って間隔をおいて周方向に配列され、複数の線が隣り合う前記ピン跡の間において前記内枠部の径方向に延びるよう前記内枠部に形成されているとともに、前記内枠部に沿って間隔をおいて周方向に配列されていることを特徴とする透明樹脂成形品である。
【発明の効果】
【０００６】
本発明によれば、意匠部の表側の面には、ピン跡の像のみならず、内枠部や線の像が映り込む。ピン跡及び線が内枠部に形成されているから、ピン跡、内枠部及び線の像が重なり合って、ピン跡の像が擬態的に目立たなくなる。よって、樹脂成形品のデザイン性が向上する。
【図面の簡単な説明】
【０００７】
【図１】本発明の実施形態に係るリフレックスリフレクタの分解斜視図である。
【図２】同リフレックスリフレクタの透明樹脂成形品を成形する工程を説明するための断面図である。
【図３】同透明樹脂成形品をハウジングにレーザー溶着する工程を説明するための断面図である。
【発明を実施するための形態】
【０００８】
以下に、本発明を実施するための形態について図面を用いて説明する。但し、以下に述べる実施形態には、本発明を実施するために技術的に好ましい種々の限定が付されているが、本発明の技術的範囲を以下の実施形態及び図示例に限定するものではない。
【０００９】
図１は、車両用のリフレックスリフレクタ１を斜め後ろから見て示した分解斜視図である。
このリフレックスリフレクタ１は、ハウジング２及び透明樹脂成形品３を有する。
【００１０】
ハウジング２は、レーザー光を吸収する樹脂（不透明樹脂）からなる。ハウジング２の前面が開口し、その開口部を囲うように側壁部２ａが形成され、側壁部２ａと後壁部２ｂによって囲われた内部空間がハウジング２の内側に形成されている。透明樹脂成形品３は、ハウジング２の前側の開口部を塞ぐようにして側壁部２ａの突端面（前端面）に接合されている。
【００１１】
透明樹脂成形品３は、光学部品であり、具体的には光を再帰反射するものである。透明樹脂成形品３は、レーザー光を透過する有色透明（例えば、赤色透明、橙色透明）又は無色透明な樹脂からなる。この透明樹脂成形品３は、樹脂を射出成形法によって成形して得られたものである。
【００１２】
透明樹脂成形品３は、板状の意匠部４、外枠部５及び内枠部６を有する。意匠部４は光学機能を有するものであり、より具体的には再帰反射板である。意匠部４の表側の面が意匠面であり、意匠部４の裏側の面が光学機能面である。つまり、意匠部４の裏側面に複数のコーナーキューブ４ａが形成され、外部から意匠部４の表側面に入射した光が意匠部４の内部に取り込まれ、取り込まれた光がコーナーキューブ４ａによって再帰反射され、再帰反射された光が板状の意匠部４の表側面から前方へ出射される。
【００１３】
外枠部５は、意匠部４の裏側面から後方へ突出するように意匠部４の裏側面に形成されている。外枠部５は、意匠部４の裏側面の周縁に沿って枠状に成形されている。
【００１４】
外枠部５の突端面（後端面）がハウジング２の側壁部２ａの突端面に溶着されている。具体的には、外枠部５の突端面及びハウジング２の側壁部２ａの突端面は、レーザー光によって溶着されたものである。
【００１５】
内枠部６は、リブである。つまり、内枠部６は、意匠部４の裏側面から後方に突出するように意匠部４の裏側面に形成されている。内枠部６は、外枠部５の内側に沿って枠状に成形されている。内枠部６は、外枠部５から内側に離れて配置されている。意匠部４の裏側面であって内枠部６と外枠部５の間には、コーナーキューブ４ａが形成されておらず、その部分が滑らかな面となっている。一方、複数のコーナーキューブ４ａは、内枠部６の内側において意匠部４の裏側面に形成されている。
【００１６】
意匠部４の裏側面を基準とした内枠部６の突出高さは意匠部４の裏側面を基準とした外枠部５の突出高さよりも低く、外枠部５が内枠部６よりも後方に延び出ている。外枠部５及び内枠部６が、意匠部４の裏側面から後方に長く延び出て筒状に成形されていてもよい。つまり、ここでいう「枠状」とは「筒状」も含む意であり、意匠部４の裏側面を基準とした外枠部５及び内枠部６の突出高さを限定するものではない。
【００１７】
内枠部６の突端面（後端面）には、内枠部６の幅に略等しい幅の矩形状に呈した複数のピン跡７が僅かに凹んだ状態に形成されている。これらピン跡７は内枠部６の周方向に沿って間隔をおいて配列されている。ピン跡７は、突き出しピンの跡である。つまり、金型を用いて透明樹脂成形品３を成形し、突き出しピンを金型から突き出すことによって突き出しピンを内枠部６の突端面に押し付けると、突き出しピンの跡がピン跡７として内枠部６の突端面に形成されるとともに、透明樹脂成形品３が金型から取り出される。
【００１８】
内枠部６の突端面には、複数の線８が形成されている。これら線８は、内枠部６の径方向に沿って延びているとともに、内枠部６の周方向に沿って間隔をおいて配列されている。周方向に隣り合うピン跡７とピン跡７との間には、一本又は複数本の線８がある。これら線８は、内枠部６を幅方向（径方向）に沿って横切るように幅方向に延びている。これら線８は、内枠部６の突端面に凹設された溝状線であるか、内枠部６の突端面に凸設された凸状線である。
【００１９】
意匠部４の表側面には、複数のピン跡７の像が映り込むとともに、線８及び内枠部６の像も映り込む。内枠部６の像は枠状となっており、ピン跡７及び線８の像が内枠部６の像に重なるとともに周方向に沿って配列されているから、意匠部４の見栄えが向上する。内枠部６、ピン跡７及び線８の像が意匠部４の表側面に映り込んだコーナーキューブ４ａの像を囲んでいるから、意匠部４の見栄えが向上する。
【００２０】
続いて、透明樹脂成形品３の成形方法及びリフレックスリフレクタ１の製造方法について説明する。
【００２１】
まず、透明樹脂成形品３を射出成形法によって成形する。
具体的には、図２に示すように、第一の金型３０を第二の金型４０に組み合わせ、これら金型３０，４０を型締めする。第一の金型３０には、膨出した凸状のコア部３１が形成され、第二の金型４０には、コア部３１に対応する凹状のキャビティ部４１が形成されている。金型３０，４０を型締めする際には、コア部３１をキャビティ部４１に入れ込み、第一の金型３０と第二の金型４０の間に空洞５０を形成する。コア部３１の形状が透明樹脂成形品３の裏側の形状に合っている。つまり、コア部３１の上面には溝３２が形成されており、その溝３２はコア部３１の上面の周縁よりも内側においてその周方向に沿って枠状に形成されている。この溝３２は、透明樹脂成形品３の内枠部６に対応するものである。溝３２の底には、溝３２の幅方向（径方向）に延びた複数の凸状線３３又は溝状線（図示略）が形成されている。これら凸状線３３や溝状線は、線８に対応するものである。また、複数の突き出しピン３４が溝３２の底に設けられており、突き出しピン３４が昇降することによって突き出しピン３４が溝３２の底から突き出たり、引き込んだりする。また、突き出しピン３４は左右に移動可能に設けられている。また、コア部３１の上面であって溝３２の内側には、コーナーキューブ４ａに対応する形状が形成されている。
【００２２】
次に、突き出しピン３４の先端を溝３２の底に揃えた状態で、透明な樹脂を空洞５０に注入して、その樹脂を空洞５０に充填する。樹脂が硬化したら、金型３０，４０を開く。そして、突き出しピン３４を上昇させて溝３２の底から突き出して、透明樹脂成形品３を第一の金型３０から取り外す。この際、複数のピン跡７が突き出しピン３４によって内枠部６の突端面に形成される。なお、突き出しピン３４の上昇後、突き出しピン３４を左右に移動させてもよい。
【００２３】
一方、ハウジング２を成形することによって、ハウジング２を準備する。
次に、図３に示すように、外枠部５の突端面（後端面）をハウジング２の側壁部２ａの突端面に突き合わせて、これらの接触面をレーザー溶着する。具体的には、ハウジング２及び透明樹脂成形品３を加圧した状態で、レーザー光を意匠部４の意匠面側から接触面に照射するとともに、そのレーザー光を外枠部５に沿って周方向に走査する。そうすると、外枠部５の突端面及びハウジング２の側壁部２ａの突端面が溶融して、外枠部５の突端面がハウジング２の側壁部２ａの突端面に溶着される。
以上により、リフレックスリフレクタ１が完成する。
【００２４】
以上の実施の形態によれば、以下のような効果を奏する。
(1)  意匠部４の表側面に映り込むピン跡７の像が線８及び内枠部６の像によって目立たなくなり、擬態効果が生じる。そのため、意匠部４のデザイン性が向上する。
【００２５】
(2)  透明樹脂成形品３を第一の金型３０から取り外す際に、突き出しピン３４を内枠部６の突端面に突き当てるから、突き出しピン３４を外枠部５の突端面に突き当てなくても済む。よって、外枠部５の突端面にピン跡等の凹凸が無い。そのため、外枠部５の突端面とハウジング２の側壁部２ａの突端面をレーザー溶着する際に、溶着不良の発生を抑えることができる。
【００２６】
(3)  レーザー溶着する際に、レーザー光源８０（図３参照）は意匠部４の中心の真正面にあり、レーザー光源８０から出射したレーザー光は外枠部５と内枠部６の間において意匠部４を通過する。外枠部５と内枠部６の間が窪みとなっているから、レーザー光の拡散・屈折を防止することができる。
【００２７】
なお、本発明を適用可能な実施形態は、上述した実施形態に限定されることなく、本発明の趣旨を逸脱しない範囲で適宜変更可能である。
例えば、透明樹脂成形品３は、再帰反射板ではなく、車両用灯具（前照灯、信号灯、室内灯等）の前側の面に設けられるアウターレンズであってもよい。この場合、光源（例えばバルブ、発光素子）及び光学素子（例えば、投影レンズ、リフレクタ、導光体）等からなる灯具ユニットがハウジング２及び透明樹脂成形品３によって囲われた内部空間内に収容されて、その灯具ユニットがエイミング機構等を介してハウジング２に取り付けられる。アウターレンズは光を素通しするものでもよいし、レンズカット等によって光を偏向させるものでもよい。
また、コーナーキューブ４ａの代わりにフレネルレンズが意匠部４の裏側の面に形成されてもよい。
【符号の説明】
【００２８】
３  透明樹脂成形品
４  意匠部
５  外枠部
６  内枠部
７  ピン跡
８  線
【図１】
2013171622.tif 000003
【図２】
2013171622.tif 000004
【図３】
2013171622.tif 000005